(57)【特許請求の範囲】
【請求項１】
光を発する複数の光源を備え、少なくとも１つの前記光源が発した光を用いて映像を投写して表示し、複数の前記光源の点灯態様の組み合わせが変更可能であって、複数の前記光源のうち所定の光源が他の光源の点灯中において交換可能に構成された投写型映像表示装置であって、
前記所定の光源の交換を検知する光源交換検知部と、
前記光源の点灯態様の組み合わせに係る情報を記憶する記憶部と、
前記所定の光源の交換が検知されたときに、前記記憶部に記憶されている情報に基づいて、前記光源の点灯態様の組み合わせを変更して映像を表示させる制御部とを備える
ことを特徴とする投写型映像表示装置。
【請求項２】
前記所定の光源が設けられた空間を開閉する光源カバーを備え、
前記光源交換検知部は、前記光源カバーの開閉を検出するカバー開閉検出部により構成され、
前記カバー開閉検出部が前記光源カバーの開閉を検出することにより、前記所定の光源の交換が検知される
ことを特徴とする請求項１に記載の投写型映像表示装置。
【請求項３】
前記カバー開閉検出部によって検出された前記光源カバーの開閉を確認する開閉確認部を備え、
前記制御部は、前記光源カバーが閉じていることを前記開閉確認部が確認したことに基づいて、前記所定の光源の点灯を開始させる
ことを特徴とする請求項２に記載の投写型映像表示装置。
【請求項４】
前記開閉確認部は、前記光源カバーが閉じられた後の経過時間を計測して、この経過時間に基づいて前記光源カバーが閉じていることを確認する
ことを特徴とする請求項３に記載の投写型映像表示装置。
【請求項５】
ユーザにより操作される操作部を備え、
前記所定の光源の交換が検知されたときに前記光源の点灯態様の組み合わせを変更する自動変更機能に加えて、前記操作部が操作されたときに前記光源の点灯態様の組み合わせを変更する手動変更機能を有する
ことを特徴とする請求項１〜４のいずれか一項に記載の投写型映像表示装置。
【請求項６】
前記自動変更機能を発揮するか否かの設定が変更可能である
ことを特徴とする請求項５に記載の投写型映像表示装置。
【請求項７】
光を発する複数の光源を備え、少なくとも１つの前記光源が発した光を用いて映像を投写して表示し、複数の前記光源の点灯態様の組み合わせが変更可能であって、複数の前記光源のうち所定の光源が他の光源の点灯中において交換可能に構成された投写型映像表示装置であって、
前記所定の光源の交換を検知する光源交換検知部と、
前記光源の点灯態様の組み合わせに係る情報を記憶する記憶部と、
ユーザにより操作される操作部と、
前記所定の光源の交換が検知されたとき、かつ、前記操作部が操作されたときに、前記記憶部に記憶されている情報に基づいて、前記光源の点灯態様の組み合わせを変更して映像を表示させる制御部とを備える
ことを特徴とする投写型映像表示装置。
【請求項８】
前記記憶部に記憶されている情報に基づく前記光源の点灯態様の組み合わせを変更する機能を発揮するか否かの設定が変更可能である
ことを特徴とする請求項１〜７のいずれか一項に記載の投写型映像表示装置。
【請求項９】
光を発する複数の光源を備え、少なくとも１つの前記光源が発した光を用いて映像を投写して表示し、複数の前記光源の点灯態様の組み合わせが変更可能であって、複数の前記光源のうち所定の光源が他の光源の点灯中において交換可能に構成された投写型映像表示装置であって、
ユーザにより操作される操作部と、
前記光源の点灯態様の組み合わせを変更して映像を表示させる制御部とを備え、
前記操作部は、前記光源の点灯態様の組み合わせのうち所定の組み合わせに対応した操作キーを備え、
前記操作キーが押されたときに、前記制御部は、前記光源の点灯態様を前記所定の組み合わせに変更する
ことを特徴とする投写型映像表示装置。
【請求項１０】
光を発する複数の光源を備え、少なくとも１つの前記光源が発した光を用いて映像を投写して表示し、複数の前記光源の点灯態様の組み合わせが変更可能であって、複数の前記光源のうち所定の光源が他の光源の点灯中において交換可能に構成された投写型映像表示装置であって、
ユーザにより操作される操作部と、
前記光源の点灯態様の組み合わせを変更して映像を表示させる制御部と、
前記映像が表示される領域とは異なる他の領域において画像が表示される表示部とを備え、
前記表示部には、前記操作部の操作に基づき、光源の点灯態様の組み合わせを選択するための画像が表示される
ことを特徴とする投写型映像表示装置。
【請求項１１】
前記制御部専用の遠隔操作機器を備え、
前記遠隔操作機器に前記操作部が設けられている
ことを特徴とする請求項９または１０に記載の投写型映像表示装置。
【発明の詳細な説明】
【技術分野】
【０００１】
本願発明は、光を発する複数の光源を備える投写型映像表示装置に関する。
【背景技術】
【０００２】
複数の光源を備える投写型映像表示装置として、光源の各々が発した光を合成するように構成されたものが開示されている（例えば、特許文献１参照）。各光源が発した光が合成される構成においては、例えば、４つの光源のうち１つの光源が点灯できなくなった場合においても、３つの光源を用いて映像の全体を表示することができる。
【０００３】
また、一般に、投写型映像表示装置であるプロジェクタは、種々の設定を行うためのＯＳＤ機能を有している（例えば、特許文献２参照）。ＯＳＤ（On-Screen Display）とは、種々の事項を設定するためにユーザに提示される画像であって、投写型映像表示装置が有するＯＳＤ機能は、このようなＯＳＤを映像として投写して表示する機能である。
【０００４】
また、寿命が尽きて点灯しなくなった光源を交換することができるように構成された投写型映像表示装置が知られている（例えば、特許文献２参照）。
【先行技術文献】
【特許文献】
【０００５】
【特許文献１】特開２００９−３１７１５号公報
【特許文献２】特開２００９−１９２７１１号公報
【発明の概要】
【発明が解決しようとする課題】
【０００６】
複数の光源を備える投写型映像表示装置において、例えば、４つの光源のうち１つの光源が点灯できなくなったときには、上述のごとく光源の点灯態様の組み合わせが変更されることにより、３つの光源を用いて映像を表示し続けることができる。そして、点灯しなくなった光源が他の光源の点灯中において交換可能に構成されていれば、点灯しなくなった光源を点灯可能な新しい光源に交換することにより、映像の表示のために点灯させる光源を３つから４つに変更することが可能となる。
【０００７】
しかしながら、光源の交換後において、例えば点灯させる光源を３つから４つに変更する場合に、光源の点灯態様を設定するためにユーザに提示される画像、即ち、点灯態様の組み合わせを選択させるためのＯＳＤが映像として表示されると、表示すべき映像の少なくとも一部が表示されないという問題があった。
【０００８】
本発明は、こうした実情に鑑みてなされたものであり、その目的は、光源の交換後において、投写される映像として点灯態様の組み合わせを選択させるためのＯＳＤを表示させることなく、光源の点灯態様の組み合わせを容易に変更することができる投写型映像表示装置を提供することにある。
【課題を解決するための手段】
【０００９】
以下、上記目的を達成するための手段及びその作用効果について記載する。
請求項１に記載の発明は、光を発する複数の光源を備え、少なくとも１つの前記光源が発した光を用いて映像を投写して表示し、複数の前記光源の点灯態様の組み合わせが変更可能であって、複数の前記光源のうち所定の光源が他の光源の点灯中において交換可能に構成された投写型映像表示装置であって、前記所定の光源の交換を検知する光源交換検知部と、前記光源の点灯態様の組み合わせに係る情報を記憶する記憶部と、前記所定の光源の交換が検知されたときに、前記記憶部に記憶されている情報に基づいて、前記光源の点灯態様の組み合わせを変更して映像を表示させる制御部とを備えることを特徴とする。
【００１０】
上記構成によれば、光源の交換が検知されたときに、記憶部に記憶されている情報に基づいて、光源の点灯態様の組み合わせが自動的に変更されて映像が表示される。このため、光源の交換後における所望の点灯態様の組み合わせに係る情報を記憶部に予め記憶させておくことにより、光源の交換後において、投写される映像として点灯態様の組み合わせを選択させるためのＯＳＤを表示させることなく、光源の点灯態様の組み合わせを容易に変更することができる。
【００１１】
請求項２に記載の発明は、請求項１に記載の投写型映像表示装置であって、前記所定の光源が設けられた空間を開閉する光源カバーを備え、前記光源交換検知部は、前記光源カバーの開閉を検出するカバー開閉検出部により構成され、前記カバー開閉検出部が前記光源カバーの開閉を検出することにより、前記所定の光源の交換が検知されることを特徴とする。
【００１２】
上記構成によれば、光源カバーによる光源が設けられた空間の開閉が検出されることにより、光源の交換が検知される。このため、光源カバーを開閉して光源を交換する際に、光源の交換が必然的に検知される。
【００１３】
請求項３に記載の発明は、請求項２に記載の投写型映像表示装置であって、前記カバー開閉検出部によって検出された前記光源カバーの開閉を確認する開閉確認部を備え、前記制御部は、前記光源カバーが閉じていることを前記開閉確認部が確認したことに基づいて、前記所定の光源の点灯を開始させることを特徴とする。
【００１４】
上記構成によれば、光源カバーが閉じていることを開閉確認部が確認したことに基づいて、交換後の光源の点灯が開始される。このため、光源カバーが閉じたことが検出されてから直ちに交換後の光源の点灯が開始されず、閉じた光源カバーを固定する時間を確保することが可能となる。
【００１５】
請求項４に記載の発明は、請求項３に記載の投写型映像表示装置であって、前記開閉確認部は、前記光源カバーが閉じられた後の経過時間を計測して、この経過時間に基づいて前記光源カバーが閉じていることを確認することを特徴とする。
【００１６】
上記構成によれば、光源カバーが閉じられた後の経過時間が計測されて、この経過時間に基づいて光源カバーが閉じていることが確認される。従って、タイマカウンタ等の時間を計測する計時部により開閉確認部を構成することができる。
【００１７】
請求項５に記載の発明は、請求項１〜４のいずれか一項に記載の投写型映像表示装置であって、ユーザにより操作される操作部を備え、前記所定の光源の交換が検知されたときに前記光源の点灯態様の組み合わせを変更する自動変更機能に加えて、前記操作部が操作されたときに前記光源の点灯態様の組み合わせを変更する手動変更機能を有することを特徴とする。
【００１８】
上記構成によれば、投写型映像表示装置は、光源の交換が検知されたときに光源の点灯態様の組み合わせを変更する自動変更機能と、操作部が操作されたときに光源の点灯態様の組み合わせを変更する手動変更機能を有する。このため、光源の点灯態様の組み合わせを、自動で変更するだけでなく、手動で変更することも可能となる。
【００１９】
請求項６に記載の発明は、請求項５に記載の投写型映像表示装置であって、前記自動変更機能を発揮するか否かの設定が変更可能であることを特徴とする。
上記構成によれば、上記自動変更機能を発揮するか否かの設定が変更可能である。このため、自動変更機能を発揮しないように設定すれば、所定の光源の交換が検知されたときに光源の点灯態様の組み合わせが自動で変更されないようにすることができ、自動変更機能を発揮するように設定すれば、所定の光源の交換が検知されたときに光源の点灯態様の組み合わせが自動で変更されるようにすることができる。
【００２０】
請求項７に記載の発明は、光を発する複数の光源を備え、少なくとも１つの前記光源が発した光を用いて映像を投写して表示し、複数の前記光源の点灯態様の組み合わせが変更可能であって、複数の前記光源のうち所定の光源が他の光源の点灯中において交換可能に構成された投写型映像表示装置であって、前記所定の光源の交換を検知する光源交換検知部と、前記光源の点灯態様の組み合わせに係る情報を記憶する記憶部と、ユーザにより操作される操作部と、前記所定の光源の交換が検知されたとき、かつ、前記操作部が操作されたときに、前記記憶部に記憶されている情報に基づいて、前記光源の点灯態様の組み合わせを変更して映像を表示させる制御部とを備えることを特徴とする。
【００２１】
上記構成によれば、光源の交換が検知されたとき、かつ、操作部が操作されたときに、記憶部に記憶されている情報に基づいて、光源の点灯態様の組み合わせが自動的に変更されて映像が表示される。このため、光源の交換後における所望の点灯態様の組み合わせに係る情報を記憶部に予め記憶させておくことにより、光源の交換後において、投写される映像として点灯態様の組み合わせを選択させるためのＯＳＤを表示させることなく、光源の点灯態様の組み合わせを容易に変更することができる。また、光源の交換が検知されたとき、かつ、操作部が操作されたときに、光源の点灯態様の組み合わせが自動的に変更されるため、ユーザの所望のタイミングで光源の点灯態様の組み合わせを変更することができる。
【００２２】
請求項８に記載の発明は、請求項１〜７のいずれか一項に記載の投写型映像表示装置であって、前記記憶部に記憶されている情報に基づく前記光源の点灯態様の組み合わせを変更する機能を発揮するか否かの設定が変更可能であることを特徴とする。
【００２３】
上記構成によれば、記憶部に記憶されている情報に基づいて光源の点灯態様の組み合わせを変更する機能を発揮するか否かの設定が変更可能である。このため、この機能を発揮しないように設定すれば、記憶部に記憶されている情報に基づく点灯態様の組み合わせの変更が行われないようにすることができる。
【００２４】
請求項９に記載の発明は、光を発する複数の光源を備え、少なくとも１つの前記光源が発した光を用いて映像を投写して表示し、複数の前記光源の点灯態様の組み合わせが変更可能であって、複数の前記光源のうち所定の光源が他の光源の点灯中において交換可能に構成された投写型映像表示装置であって、ユーザにより操作される操作部と、前記光源の点灯態様の組み合わせを変更して映像を表示させる制御部とを備え、前記操作部は、前記光源の点灯態様の組み合わせのうち所定の組み合わせに対応した操作キーを備え、前記操作キーが押されたときに、前記制御部は、前記光源の点灯態様を前記所定の組み合わせに変更することを特徴とする。
【００２５】
上記構成によれば、ユーザにより操作される操作部は、光源の点灯態様の組み合わせのうち所定の組み合わせに対応した操作キーを備え、操作キーが押されたときに、光源の点灯態様が所定の組み合わせに変更される。このため、操作キーを押すだけで光源の点灯態様の組み合わせのうち所定の組み合わせを選択することができ、光源の交換後において、投写される映像として点灯態様の組み合わせを選択させるためのＯＳＤを表示させることなく、光源の点灯態様の組み合わせを容易に変更することができる。
【００２６】
請求項１０に記載の発明は、光を発する複数の光源を備え、少なくとも１つの前記光源が発した光を用いて映像を投写して表示し、複数の前記光源の点灯態様の組み合わせが変更可能であって、複数の前記光源のうち所定の光源が他の光源の点灯中において交換可能に構成された投写型映像表示装置であって、ユーザにより操作される操作部と、前記光源の点灯態様の組み合わせを変更して映像を表示させる制御部と、前記映像が表示される領域とは異なる他の領域において画像が表示される表示部とを備え、前記表示部には、前記操作部の操作に基づき、光源の点灯態様の組み合わせを選択するための画像が表示されることを特徴とする。
【００２７】
上記構成によれば、投写型映像表示装置は、映像が投写して表示される領域とは異なる他の領域において画像が表示される表示部を備え、この表示部に、操作部の操作に基づき、光源の点灯態様の組み合わせを選択するための画像が表示される。このため、表示部に表示される画像を参照して光源の点灯態様の組み合わせを選択することができ、光源の交換後において、投写される映像として点灯態様の組み合わせを選択させるためのＯＳＤを表示させることなく、光源の点灯態様の組み合わせを容易に変更することができる。
【００２８】
請求項１１に記載の発明は、請求項９または１０に記載の投写型映像表示装置であって、前記制御部専用の遠隔操作機器を備え、前記遠隔操作機器に前記操作部が設けられていることを特徴とする。
【００２９】
上記構成によれば、投写型映像表示装置は上記制御部専用の遠隔操作機器を備え、遠隔操作機器に上記操作部が設けられているため、遠隔操作により光源の点灯態様の組み合わせを変更することができる。また、上記制御部専用の遠隔操作機器を用いて投写型映像表示装置が遠隔操作されるため、汎用の遠隔操作機器を用いて投写型映像表示装置が遠隔操作される場合に比べて、より容易な光源の点灯態様の組み合わせの変更を図ることができる。
【発明の効果】
【００３０】
本発明によれば、光源の交換後において、投写される映像として点灯態様の組み合わせを選択させるためのＯＳＤを表示させることなく、光源の点灯態様の組み合わせを容易に変更することができる。
【図面の簡単な説明】
【００３１】
【図１】本発明の第１実施形態に係る投写型映像表示装置の概略構成を示す構成図。
【図２】同実施形態に係る投写型映像表示装置において、記憶部に記憶される事項と、その事項に係る内容の一例を示す表。
【図３】同実施形態に係る投写型映像表示装置の動作の流れを示すフローチャート。
【図４】本発明の第２実施形態に係る投写型映像表示装置の動作の流れを示すフローチャート。
【図５】本発明の第３実施形態に係る投写型映像表示装置において、記憶部に記憶される事項と、その事項に係る内容の一例を示す表。
【図６】本発明の第４実施形態に係る投写型映像表示装置の概略構成を示す構成図。
【図７】（ａ）（ｂ）同実施形態に係る投写型映像表示装置において、操作部の構成を示す模式図。
【図８】本発明の第５実施形態に係る投写型映像表示装置の概略構成を示す構成図。
【発明を実施するための形態】
【００３２】
（第１実施形態）
以下、本発明を具体化した一実施形態である第１実施形態について図１〜図４を参照しながら説明する。
【００３３】
図１に示すように、プロジェクタ１は、映像表示用の光源である複数のランプ２０を備えた投写型映像表示装置である。プロジェクタ１は、少なくとも１つのランプ２０が発した光を用いて、スクリーンや壁等の平面上に映像を投写して表示する。
【００３４】
本実施形態に係るプロジェクタ１は、複数のランプ２０として、第１ランプ２１と第２ランプ２２と第３ランプ２３と第４ランプ２４とを備えている。即ち、プロジェクタ１は４灯式の投写型映像表示装置である。
【００３５】
複数のランプ２０のうち所定のランプ２０が他のランプ２０の点灯中において交換可能である。即ち、例えば、ランプ２２〜２４の点灯中においてランプ２１が交換可能に構成されている。従って、１つのランプ２０の寿命が尽きたときであっても、３つのランプ２０を用いて映像の全体を表示し続けることができる。
【００３６】
プロジェクタ１は、ランプ２０等の光学部品等が内蔵された筐体１０Ａを備えている。筐体１０Ａには、ランプ２０が設けられた空間である筐体１０Ａの内部空間を開放及び閉鎖するランプカバー１０が設けられている。寿命が尽きて点灯しなくなった筐体１０Ａ内のランプ２０は、光源カバーであるランプカバー１０を開閉することにより、点灯可能な新しいランプ２０に交換することができる。即ち、ランプカバー１０が開状態のときに、ランプ２０を交換することができる。
【００３７】
本実施形態に係るプロジェクタ１は、複数のランプ２０に応じて複数のランプカバー１０を備えている。具体的には、プロジェクタ１は、複数のランプカバー１０として、第１ランプ２１を交換するときに開閉される第１ランプカバー１１と、第２ランプ２２を交換するときに開閉される第２ランプカバー１２とを備えている。さらに、プロジェクタ１は、複数のランプカバー１０として、第３ランプ２３を交換するときに開閉される第３ランプカバー１３と、第４ランプ２４を交換するときに開閉される第４ランプカバー１４とを備えている。
【００３８】
なお、ランプカバー１０が開状態のときには、開状態となることにより交換可能となるランプ２０の点灯は禁止される。即ち、例えば、第１ランプカバー１１が開状態のときには、第１ランプ２１の点灯が禁止され、第１ランプカバー１１が閉状態のときに、第１ランプ２１の点灯が許容される。
【００３９】
プロジェクタ１は、映像を表示するための光学系の構成要素として、複数のランプ２０が発した光を合成する光合成部２５と、光合成部２５によって合成された光を用いて映像を生成する映像生成部２６と、映像生成部２６により生成された映像の光を投射する投射レンズ２７とを備えている。
【００４０】
超高圧水銀ランプやメタルハライドランプ等の放電ランプにより構成される複数のランプ２０は、同時に点灯することが可能である。映像の表示に用いられる時にランプ２０は点灯する。また、寿命が尽きた時や待機時等にランプ２０は消灯する。このように、ランプ２０の点灯態様は、ランプ２０が点灯している状態である点灯状態、またはランプ２０が消灯している状態である不点灯状態に変化する。
【００４１】
複数のランプ２０の点灯態様の組み合わせは変更することができる。本実施形態においては、同時に点灯させるランプ２０の個数を変更することができる。即ち、ランプ２１〜２４の全てを同時に点灯状態とすることができ、また、ランプ２１〜２４のうちいずれか１つを、または２つ若しくは３つのランプ２０を同時に点灯状態として、他のランプ２０を不点灯状態とすることができる。点灯しているランプ２０が発する光は、光合成部２５に入射した後に映像生成部２６に入射する。
【００４２】
光合成部２５は、複数のランプ２０を用いて画像全体を映し出すために、複数のランプ２０が発した光を合成する光学部品により構成されている。光合成部２５により合成された光は、映像生成部２６に入射する。
【００４３】
映像生成部２６は、例えば、ドットマトリクス型のライトバルブである液晶パネルや、微小鏡を格子状に配列したＤＭＤ（Digital Micromirror Device）を備えた電気光学装置により構成されている。映像生成部２６には映像信号が入力され、この映像信号に基づいて液晶パネルやＤＭＤが駆動される。そして、ランプ２０から光合成部２５を経て映像生成部２６に入射した光が、液晶パネルを透過したり、ＤＭＤで反射されたりすることによって、映像信号に基づいた映像が生成される。
【００４４】
投射レンズ２７は、映像生成部２６により生成された映像の光を投射するレンズ群を備えたレンズ装置である。従って、映像の光が投射レンズ２７からプロジェクタ１の外部に向けて投射されることにより、プロジェクタ１はスクリーンや壁等の平面上に映像を表示する。
【００４５】
また、プロジェクタ１は、電気信号である映像信号に基づいて映像を生成するための構成として、プロジェクタ１の外部から映像信号が入力される映像信号入力部３１と、映像信号に対して信号処理を施す映像信号処理部３２とを備えている。
【００４６】
プロジェクタ１には、映像ケーブル（不図示）が接続される映像信号入力端子により構成された映像信号入力部３１を介して、ＰＣ（Personal Computer）や映像再生装置等の外部機器から映像信号が入力される。そして、プロジェクタ１に入力された映像信号に対して、映像信号処理部３２がスケーリング処理やＯＳＤを映像の上に重ねる処理等の信号処理を施して、信号処理が施された映像信号が、映像生成部２６に入力される。なお、映像信号入力部３１が、無線により送信された映像信号を受信する無線モジュールであってもよい。
【００４７】
また、電子機器であるプロジェクタ１は、ランプ２０に対応して設けられたランプ電源部４０と、プロジェクタ１を構成する各部を制御する制御部５１と、プログラム等を含む種々の情報を記憶する記憶部５２と、ユーザにより操作される操作部５３と、時間を計測する計時部５４とを備えている。
【００４８】
ランプ電源部４０は、ランプ電源部４０に接続されているランプ２０を点灯させるための電源回路（図示略）と、この電源回路を制御するランプ電源制御部４０ａとを備えた点灯装置により構成されている。ランプ電源部４０は、制御部５１から入力される制御信号に基づき、ランプ２０に電力を供給することによりランプ２０を点灯させる。
【００４９】
本実施形態に係るプロジェクタ１は、複数のランプ２０に応じて複数のランプ電源部４０を備えている。具体的には、プロジェクタ１は、複数のランプ電源部４０として、第１ランプ２１を点灯させる第１ランプ電源部４１と、第２ランプ２２を点灯させる第２ランプ電源部４２と、第３ランプ２３を点灯させる第３ランプ電源部４３と、第４ランプ２４を点灯させる第４ランプ電源部４４とを備えている。
【００５０】
制御部５１は、映像信号処理部３２における信号処理の制御や、ランプ電源部４０を介してランプ２０の制御等を行う集積回路により構成されている。制御部５１には、例えばメモリにより構成された記憶部５２、例えば操作ボタンにより構成された操作部５３、例えばタイマカウンタにより構成された計時部５４が接続されている。
【００５１】
記憶部５２には、ランプ２０交換後の点灯モードが記憶されている。さらに、本実施形態においては、記憶部５２には、ランプカバー１０開閉後の開閉状態確認基準時間が記憶されている。図２は、記憶部５２に記憶された記憶内容の一例を示す図であって、記憶事項とその記憶事項に対応した記憶内容を示す表である。４灯モードとは、映像を表示するために４つのランプ２０が同時に点灯状態となるモードである。即ち、本実施形態においては、記憶部５２には、ランプ２０の点灯態様の組み合わせに係る情報として、同時に点灯させるランプ２０の個数に係る情報が記憶される。なお、記憶部５２に記憶されている情報、即ちランプ２０交換後の点灯モード及び開閉状態確認基準時間は、操作部５３を用いて変更することが可能である。
【００５２】
また、プロジェクタ１は、ランプカバー１０の開閉を検出するカバー開閉検出部６０を備えている。カバー開閉検出部６０は、ランプカバー１０の開状態及び閉状態を検出する。カバー開閉検出部６０による検出結果は制御部５１に電気信号として入力される。
【００５３】
本実施形態に係るプロジェクタ１は、複数のランプカバー１０に応じて複数のカバー開閉検出部６０を備えている。具体的には、プロジェクタ１は、複数のカバー開閉検出部６０として、第１ランプカバー１１の開閉を検出する第１カバー開閉検出部６１と、第２ランプカバー１２の開閉を検出する第２カバー開閉検出部６２とを備えている。さらに、プロジェクタ１は、複数のカバー開閉検出部６０として、第３ランプカバー１３の開閉を検出する第３カバー開閉検出部６３と、第４ランプカバー１４の開閉を検出する第４カバー開閉検出部６４とを備えている。
【００５４】
ここで、本実施形態においては、プロジェクタ１が、ランプ２０の交換を検知するカバー開閉検出部６０と、記憶部５２と、ランプ２０の交換が検知されたときに、記憶部５２に記憶されている情報に基づいて、ランプ２０の点灯態様の組み合わせを変更して映像を表示させる制御部５１とを備えることに特徴がある。即ち、本実施形態においては、プロジェクタ１は、記憶部５２に記憶されている情報に基づいて、ランプ２０の点灯態様の組み合わせを自動的に変更する機能である自動変更機能を有している。
【００５５】
ランプ２０の交換が検知されたときにランプ２０の点灯態様の組み合わせを自動的に変更する上記自動変更機能に係るプロジェクタ１の動作の流れの一例を、図３を参照しながら説明する。
【００５６】
プロジェクタ１が備える制御部５１は、例えば４つのランプ２０のうち１つのランプ２０の寿命が尽きたときに、寿命が尽きたランプ２０の不点灯を検出する（ステップＳ１１）。
【００５７】
４灯モードにおいて１つのランプ２０の不点灯が検出されると、プロジェクタ１は３灯モードに移行する（ステップＳ１２）。３灯モードは、映像を表示するために３つのランプ２０が同時に点灯状態となるモードである。
【００５８】
そして、制御部５１は、カバー開閉検出部６０から入力される検出結果に基づいて、交換対象となる不点灯状態のランプ２０が設けられた空間を開閉するランプカバー１０が、開状態であるか否かを判断する（ステップＳ１３）。即ち、カバー開閉検出部６０により、交換対象となるランプ２０に対応するランプカバー１０の開状態が検出されると、ランプカバー１０が開状態であると制御部５１によって判断される。
【００５９】
次いで、ランプカバー１０が開状態であるとステップＳ１３において判断された場合には、制御部５１は、カバー開閉検出部６０から入力される検出結果に基づいて、ランプカバー１０が閉じられて、開状態となっていたランプカバー１０が閉状態であるか否かを判断する（ステップＳ１４）。即ち、カバー開閉検出部６０により、開状態であるとして検出されたランプカバー１０の閉状態が検出されると、ランプカバー１０が閉状態であると制御部５１によって判断される。
【００６０】
以上のように、カバー開閉検出部６０は光源交換検知部として構成され、交換対象となるランプ２０に対応するランプカバー１０の開状態及び閉状態が検出されることにより、カバー開閉検出部６０がランプ２０の交換を検知する。従って、例えば、第１カバー開閉検出部６１が第１ランプカバー１１の開閉を検出することにより、第１ランプ２１の交換が検知される。
【００６１】
なお、ランプカバー１０が開状態であるとステップＳ１３において判断されなかった場合には、ステップＳ１３が繰り返され、ランプカバー１０が閉状態であるとステップＳ１４において判断されなかった場合には、ステップＳ１４が繰り返される。即ち、カバー開閉検出部６０によってランプカバー１０の開閉が検出されずに、３灯モードとなった後に不点灯のランプ２０の交換が検知されないときには、３灯モードがそのまま維持される。
【００６２】
カバー開閉検出部６０によってランプカバー１０の開閉が検出されて、ランプカバー１０が閉状態であるとステップＳ１４において判断された場合には、制御部５１は、計時部５４を用いて時間の計測を開始する（ステップＳ１５）。即ち、ランプカバー１０の開閉が検出されて、交換対象となる不点灯状態のランプ２０の交換が検知されたときには、計時部５４が時間の計測を開始する。
【００６３】
ステップＳ１５における時間の計測開始後に、制御部５１は、カバー開閉検出部６０から入力される検出結果に基づいて、ランプカバー１０が開状態であるか否かを判断する（ステップＳ１６）。ランプカバー１０が開状態であるとステップＳ１６において判断された場合には、ステップＳ１４〜Ｓ１６が繰り返される。
【００６４】
ステップＳ１５における時間の計測開始後にランプカバー１０が閉状態を維持している場合、即ち、ランプカバー１０が開状態であるとステップＳ１６において判断されなかった場合には、制御部５１は、時間計測を開始してから、記憶部５２に記憶されている所定時間である閉状態確認基準時間が経過したか否かを判断する（ステップＳ１７）。制御部５１及び計時部５４は、カバー開閉検出部６０によって検出されたランプカバー１０の開閉を確認する開閉確認部を構成している。ステップＳ１７においては、開閉確認部である制御部５１及び計時部５４が、ランプカバー１０が閉じられた後の経過時間を計測して、この経過時間に基づいてランプカバー１０が閉じていることを確認する。
【００６５】
ランプカバー１０が閉じられてから閉状態確認基準時間が経過したとステップＳ１７において判断されたときには、プロジェクタ１は４灯モードに移行する（ステップＳ１８）。即ち、ステップＳ１８においては、ランプカバー１０が閉じていることが制御部５１及び計時部５４によって確認されたことに基づいて、制御部５１が交換後のランプ２０の点灯を開始させる。
【００６６】
なお、ランプカバー１０が閉じられてから閉状態確認基準時間が経過したとステップＳ１７において判断されない場合には、ステップＳ１６，Ｓ１７が繰り返される。また、本実施形態においては、ランプカバー１０が開状態であるとステップＳ１６において判断された場合には、上述のごとくステップＳ１４〜Ｓ１６が繰り返される。従って、ランプカバー１０が閉じられてから閉状態確認基準が経過するまでにランプカバー１０が再度開かれると、繰り返されるステップＳ１５において計時部５４が時間の計測をし直す。このため、ランプカバー１０が閉じられてから閉状態確認基準が経過するまでにランプカバー１０が開かれた場合であっても、４灯モードに移行するまでの時間が確保される。
【００６７】
本実施形態によれば、以下の効果を得ることができる。
（１）プロジェクタ１は、ランプ２０の交換を検知するカバー開閉検出部６０と、ランプ２０の点灯態様の組み合わせに係る情報を記憶する記憶部５２と、ランプ２０の交換が検知されたときに、記憶部５２に記憶されている情報に基づいて、ランプ２０の点灯態様の組み合わせを変更して映像を表示させる制御部５１とを備える。従って、ランプ２０の交換が検知されたときに、記憶部５２に記憶されている情報に基づいて、ランプ２０の点灯態様の組み合わせが自動的に変更されて映像が表示される。このため、ランプ２０の交換後における所望の点灯態様の組み合わせに係る情報を記憶部５２に予め記憶させておくことにより、ランプ２０の交換後において、投写される映像として点灯態様の組み合わせを選択させるためのＯＳＤを表示させることなく、ランプ２０の点灯態様の組み合わせを容易に変更することができる。
【００６８】
（２）プロジェクタ１は、ランプ２０が設けられた空間を開閉するランプカバー１０を備え、光源交換検知部が、ランプカバー１０の開閉を検出するカバー開閉検出部６０により構成され、カバー開閉検出部６０がランプカバー１０の開閉を検出することにより、ランプ２０の交換が検知される。このため、ランプカバー１０を開閉してランプ２０を交換する際に、ランプ２０の交換が必然的に検知される。
【００６９】
（３）プロジェクタ１は、カバー開閉検出部６０によって検出されたランプカバー１０の開閉を確認する開閉確認部として制御部５１及び計時部５４を備え、制御部５１は、ランプカバー１０が閉じていることを開閉確認部が確認したことに基づいて、ランプ２０の点灯を開始させる。このため、ランプカバー１０が閉じたことが検出されてから直ちに交換後のランプ２０の点灯が開始されず、閉じたランプカバー１０を固定する時間を確保することが可能となる。
【００７０】
（４）ランプカバー１０が閉じられた後の経過時間を計測して、この経過時間に基づいてランプカバー１０が閉じていることが確認される。従って、タイマカウンタ等の時間を計測する計時部５４を用いて開閉確認部を構成することができる。
【００７１】
（第２実施形態）
次に、本発明の一実施形態である第２実施形態を説明する。なお、上記第１の実施形態と同様の構成については、その説明を省略または簡略化する。
【００７２】
本実施形態に係るプロジェクタ１は、ランプ２０の交換が検知されたときにランプ２０の点灯態様の組み合わせを自動的に変更する自動変更機能に代えて、操作部５３が操作されたときにランプ２０の点灯態様の組み合わせを変更する手動変更機能を有している。
【００７３】
ランプ２０の交換が検知されたときにユーザの所望のタイミングでランプ２０の点灯態様の組み合わせを変更する上記手動変更機能に係るプロジェクタ１の動作の流れの一例を、図４を参照しながら説明する。
【００７４】
ステップＳ１１及びＳ１２と同様に、例えば４つのランプ２０のうち１つのランプ２０の寿命が尽きたときに、制御部５１は寿命が尽きたランプ２０の不点灯を検出して（ステップＳ２１）、プロジェクタ１が３灯モードに移行する（ステップＳ２２）。
【００７５】
そして、制御部５１は、ステップＳ１３と同様に、交換対象となる不点灯状態のランプ２０が設けられた空間を開閉するランプカバー１０が、開状態であるか否かを判断する（ステップＳ２３）。
【００７６】
次いで、ランプカバー１０が開状態であるとステップＳ２３において判断された場合には、制御部５１は、ステップＳ１４と同様に、ランプカバー１０が閉じられて、開状態となっていたランプカバー１０が閉状態であるか否かを判断する（ステップＳ２４）。
【００７７】
以上のように、本実施形態においても、交換対象となるランプ２０に対応するランプカバー１０の開状態及び閉状態が検出されることにより、カバー開閉検出部６０がランプ２０の交換を検知する。なお、ランプカバー１０が開状態であるとステップＳ２３において判断されなかった場合には、ステップＳ２３が繰り返され、ランプカバー１０が閉状態であるとステップＳ２４において判断されなかった場合には、ステップＳ２４が繰り返される。即ち、本実施形態においても、カバー開閉検出部６０によってランプカバー１０の開閉が検出されずに、３灯モードとなった後に不点灯のランプ２０の交換が検知されないときには、３灯モードがそのまま維持される。
【００７８】
カバー開閉検出部６０によってランプカバー１０の開閉が検出されて、ランプカバー１０が閉状態であるとステップＳ２４において判断された場合には、制御部５１は、さらに、カバー開閉検出部６０から入力される検出結果に基づいて、ランプカバー１０が開状態であるか否かを判断する（ステップＳ２５）。ランプカバー１０が開状態であるとステップＳ２５において判断された場合には、ステップＳ２４，Ｓ２５が繰り返される。
【００７９】
ランプ２０の交換後に閉じられたランプカバー１０が閉状態を維持している場合、即ち、ランプカバー１０が開状態であるとステップＳ２５において判断されなかった場合には、制御部５１は、操作部５３が操作されたか否かを判断する（ステップＳ２６）。操作部５３が操作されることにより制御部５１には、操作部５３の操作内容が電気信号として入力されるため、制御部５１は、操作部５３から入力される電気信号に基づいて、操作部５３が操作されたか否かを判断することができる。このとき、操作部５３の操作内容は、ＯＳＤを表示させる操作でなければどのような操作であってもよい。例えば、いずれかの操作キーを所定時間押し続ける操作であってもよいし、専用の操作キーを押す操作であってもよい。
【００８０】
操作部５３が操作されたとステップＳ２６において判断されたとき（即ち、操作部５３がユーザにより操作されたとき）には、プロジェクタ１は４灯モードに移行する（ステップＳ２７）。即ち、ステップＳ２７においては、閉状態確認基準時間に依らず、ランプ２０の交換が検知されたとき、かつ、操作部５３が操作されたときに、記憶部５２に記憶されている情報に基づいて、制御部５１が、交換後のランプ２０の点灯を開始させ、ランプ２０の点灯態様の組み合わせを変更して映像を表示させる。
【００８１】
なお、操作部５３が操作されたとステップＳ２６において判断されなかったときには、ステップＳ２５，Ｓ２６が繰り返される。また、本実施形態においては、ランプカバー１０が開状態であるとステップＳ２５において判断された場合には、上述のごとくステップＳ２４，Ｓ２５が繰り返される。従って、ランプカバー１０が閉じられてから操作部５３が操作されるまでにランプカバー１０が再度開かれると、プロジェクタ１が４灯モードに移行しないようにすることができる。
【００８２】
本実施形態によれば、以下の効果を得ることができる。
（５）プロジェクタ１は、カバー開閉検出部６０と、記憶部５２と、ユーザにより操作される操作部５３と、ランプ２０の交換が検知されたとき、かつ、操作部５３が操作されたときに、記憶部５２に記憶されている情報に基づいて、ランプ２０の点灯態様の組み合わせを変更して映像を表示させる制御部５１とを備える。従って、ランプ２０の交換が検知されたとき、かつ、操作部５３が操作されたときに、記憶部５２に記憶されている情報に基づいて、ランプ２０の点灯態様の組み合わせが自動的に変更されて映像が表示される。このため、ランプ２０の交換後における所望の点灯態様の組み合わせに係る情報を記憶部５２に予め記憶させておくことにより、ランプ２０の交換後において、投写される映像として点灯態様の組み合わせを選択させるためのＯＳＤを表示させることなく、ランプ２０の点灯態様の組み合わせを容易に変更することができる。また、ランプ２０の交換が検知されたとき、かつ、操作部５３が操作されたときに、ランプ２０の点灯態様の組み合わせが自動的に変更されるため、ユーザの所望のタイミングでランプ２０の点灯態様の組み合わせを変更することができる。
【００８３】
（第３実施形態）
次に、本発明の一実施形態である第３実施形態を説明する。なお、上記実施形態と同様の構成については、その説明を省略または簡略化する。
【００８４】
本実施形態に係るプロジェクタ１は、ランプ２０の交換が検知されたときにランプ２０の点灯態様の組み合わせを変更する自動変更機能と、操作部５３が操作されたときにランプ２０の点灯態様の組み合わせを変更する手動変更機能とを有している。
【００８５】
即ち、本実施形態においては、プロジェクタ１は、第１実施形態に記載の構成と、第２実施形態に記載の構成とを備えている。さらに、本実施形態に係るプロジェクタ１は、手動変更機能として、第１手動変更機能と第２手動変更機能とを有している。第１手動変更機能は、点灯態様の組み合わせを選択させるためのＯＳＤを表示して手動でランプの２０の点灯態様の組み合わせを変更させる機能であって、第２手動変更機能が、第２実施形態に記載の手動変更機能である。
【００８６】
また、本実施形態においては、自動変更機能及び手動変更機能を発揮するか否かの設定が変更可能である。自動変更機能及び手動変更機能を発揮するか否かに係る情報は記憶部５２に記憶され、上記設定の変更は例えば操作部５３を用いて行うことができる。図５は、記憶部５２に記憶された記憶内容の一例を示す図であって、記憶事項とその記憶事項に対応した記憶内容を示す表である。図５においては、第１手動変更機能と第２手動変更機能は発揮できるように設定され、自動変更機能は発揮できないように設定されている。
【００８７】
本実施形態によれば、上記（１）〜（４）並びに（５）の効果に加えて、以下の効果を得ることができる。
（６）プロジェクタ１は、ランプ２０の交換が検知されたときにランプ２０の点灯態様の組み合わせを変更する自動変更機能に加えて、操作部５３が操作されたときにランプ２０の点灯態様の組み合わせを変更する手動変更機能を有する。このため、ランプ２０の点灯態様の組み合わせを、自動で変更するだけでなく、手動で変更することも可能となる。
【００８８】
（７）自動変更機能を発揮するか否かの設定が変更可能である。このため、自動変更機能を発揮しないように設定すれば、ランプ２０の交換が検知されたときにランプ２０の点灯態様の組み合わせが自動で変更されないようにすることができ、自動変更機能を発揮するように設定すれば、ランプ２０の交換が検知されたときにランプ２０の点灯態様の組み合わせが自動で変更されるようにすることができる。
【００８９】
（８）記憶部５２に記憶されている情報に基づくランプ２０の点灯態様の組み合わせを変更する機能（即ち、第２手動変更機能及び自動変更機能）を発揮するか否かの設定が変更可能である。このため、この機能を発揮しないように設定すれば、記憶部５２に記憶されている情報に基づく点灯態様の組み合わせの変更が行われないようにすることができる。
【００９０】
（第４実施形態）
次に、本発明の一実施形態である第４実施形態を説明する。なお、上記実施形態と同様の構成については、その説明を省略または簡略化する。
【００９１】
図６に示すように、本実施形態に係るプロジェクタ１は、制御部５１専用の遠隔操作機器としてリモコン装置１０Ｂを備え、筐体１０Ａとは別体として構成されたリモコン装置１０Ｂから筐体１０Ａに信号が送信される構成となっている。
【００９２】
プロジェクタ１は、外部機器であるリモコン装置１０Ｂからの信号が入力される外部信号入力部５５を備えている。リモコン装置１０Ｂから出力された信号は、外部信号入力部５５を介して制御部５１に電気信号として入力される。外部信号入力部５５は、リモコン装置１０Ｂが備える外部信号出力部７３と通信が可能な構成部品であって、例えば赤外線受光モジュールにより構成されている。
【００９３】
リモコン装置１０Ｂは、ユーザにより操作される操作部７１と、制御部７２と、外部信号入力部５５に信号を出力する外部信号出力部７３とを備えている。マイコン等により構成される制御部７２は、操作部７１の操作内容に応じた信号を出力するように外部信号出力部７３を制御する。外部信号出力部７３は、筐体１０Ａに設けられた外部信号入力部５５と通信が可能な構成部品であって、例えば赤外線発光モジュールにより構成されている。
【００９４】
図７に示すように、本実施形態においては、操作部５３，７１は、ランプ２０の点灯態様の組み合わせのうち所定の組み合わせに対応した操作キー５３ａ〜５３ｄ，７１ａ〜７１ｄを有している。図７（ａ）は、操作部５３の構成の一例を示す模式図であって、図７（ｂ）は、操作部７１の構成の一例を示す模式図である。
【００９５】
図７（ａ）に示す操作部５３は、１灯モードに対応する第１操作キー５３ａと、２灯モードに対応する第２操作キー５３ｂと、３灯モードに対応する第３操作キー５３ｃと、４灯モードに対応する第４操作キー５３ｄとを備えている。
【００９６】
また、図７（ｂ）に示すように、リモコン装置１０Ｂに設けられている操作部７１にも、１灯モードに対応する第１操作キー７１ａと、２灯モードに対応する第２操作キー７１ｂと、３灯モードに対応する第３操作キー７１ｃと、４灯モードに対応する第４操作キー７１ｄとを備えている。
【００９７】
本実施形態に係る制御部５１は、操作キー５３ａ〜５３ｄ，７１ａ〜７１ｄのいずれかが押されたときに、押された操作キー５３ａ〜５３ｄ，７１ａ〜７１ｄに応じて、ＯＳＤを表示させることなくランプ２０の点灯態様を所定の組み合わせに変更する。即ち、操作キー５３ａ〜５３ｄ，７１ａ〜７１ｄを押すだけで、プロジェクタ１の点灯モードを変更することができる。
【００９８】
第１操作キー５３ａ，７１ａが押されたときには、制御部５１は、ランプ２１〜２４のうちいずれか１つを点灯状態として、他のランプ２０を不点灯状態とする。このように第１操作キー５３ａ，７１ａが押されると、プロジェクタ１は、映像を表示するために１つのランプ２０のみが点灯状態となる１灯モードに移行する。
【００９９】
第２操作キー５３ｂ，７１ｂが押されたときには、制御部５１は、ランプ２１〜２４のうちいずれか２つを点灯状態として、他のランプ２０を不点灯状態とする。このように第２操作キー５３ｂ，７１ｂが押されると、プロジェクタ１は、映像を表示するために２つのランプ２０が同時に点灯状態となる２灯モードに移行する。
【０１００】
第３操作キー５３ｃ，７１ｃが押されたときには、制御部５１が、ランプ２１〜２４のうちいずれか３つを点灯状態として、他のランプ２０を不点灯状態とする。このように第３操作キー５３ｃ，７１ｃが押されると、プロジェクタ１は、上述の３灯モードに移行する。
【０１０１】
第４操作キー５３ｄ，７１ｄが押されたときには、制御部５１が、ランプ２１〜２４の全てを点灯状態とする。このように第４操作キー５３ｄ，７１ｄが押されると、プロジェクタ１は、上述の４灯モードに移行する。
【０１０２】
以上のように本実施形態においては、プロジェクタ１は、ＯＳＤを表示させることなく操作部５３，７１が操作されたときにランプ２０の点灯態様の組み合わせを変更する手動変更機能を有している。
【０１０３】
本実施形態によれば、以下の効果を得ることができる。
（９）操作部５３は、ランプ２０の点灯態様の組み合わせのうち所定の組み合わせに対応した操作キー５３ａ〜５３ｄを備え、操作キー５３ａ〜５３ｄが押されたときに、制御部５１は、ランプ２０の点灯態様を所定の組み合わせに変更する。このため、操作キー５３ａ〜５３ｄを押すだけでランプ２０の点灯態様の組み合わせのうち所定の組み合わせを選択することができ、ランプ２０の交換後において、投写される映像として点灯態様の組み合わせを選択させるためのＯＳＤを表示させることなく、ランプ２０の点灯態様の組み合わせを容易に変更することができる。
【０１０４】
また、操作部７１も、ランプ２０の点灯態様の組み合わせのうち所定の組み合わせに対応した操作キー７１ａ〜７１ｄを備え、操作キー７１ａ〜７１ｄが押されたときに、制御部５１は、ランプ２０の点灯態様を所定の組み合わせに変更する。従って、リモコン装置１０Ｂを用いても上記（９）の効果を得ることができる。
【０１０５】
（１０）プロジェクタ１は、制御部５１専用の遠隔操作機器であるリモコン装置１０Ｂを備え、リモコン装置１０Ｂに上記構成の操作部７１が設けられている。このため、遠隔操作によりランプ２０の点灯態様の組み合わせを変更することができる。また、制御部５１専用のリモコン装置１０Ｂを用いてプロジェクタ１が遠隔操作されるため、汎用の遠隔操作機器を用いてプロジェクタ１が遠隔操作される場合に比べて、より容易なランプ２０の点灯態様の組み合わせの変更を図ることができる。
【０１０６】
（第５実施形態）
次に、本発明の一実施形態である第５実施形態を説明する。なお、第４の実施形態と同様の構成については、その説明を省略または簡略化する。
【０１０７】
図８に示すように、本実施形態に係るプロジェクタ１は、映像が投写されて表示される領域とは異なる他の領域において画像が表示される表示部５６，７４を備えている。表示部５６は筐体１０Ａに設けられ、表示部７４はリモコン装置１０Ｂに設けられている。
【０１０８】
表示部５６，７４は、例えば有機ＥＬディスプレイや液晶ディスプレイ等の小型の電気光学ディスプレイにより構成されている。筐体１０Ａに設けられた表示部５６は、制御部５１により制御され、リモコン装置１０Ｂに設けられた表示部７４は、制御部７２により制御される。
【０１０９】
本実施形態においては、点灯態様の組み合わせを選択させるためのＯＳＤをスクリーンや壁等に映像として表示する構成に代えて、点灯態様の組み合わせを選択させるための画像を表示部５６，７４に表示する構成となっている。
【０１１０】
即ち、プロジェクタ１は、従来のごとく操作部５３，７１の操作に基づき、ランプ２０の点灯態様の組み合わせを選択するための画像が表示されるものの、ＯＳＤは表示されずに、表示部５６，７４にランプ２０の点灯態様の組み合わせを選択させるための画像が表示される。以上のように、本実施形態に係るプロジェクタ１は、操作部５３，７１の操作されたときに、表示部５６，７４を用いてランプ２０の点灯態様の組み合わせを選択させるための画像をユーザに提示して、ユーザの操作に基づきランプ２０の点灯態様の組み合わせを変更する手動変更機能を有している。
【０１１１】
本実施形態によれば、以下の効果を得ることができる。
（１１）プロジェクタ１は、映像が表示される領域とは異なる他の領域において画像が表示される表示部５６を備え、表示部５６には、操作部５３の操作に基づき、ランプ２０の点灯態様の組み合わせを選択するための画像が表示される。このため、表示部５６に表示される画像を参照してランプ２０の点灯態様の組み合わせを選択することができ、ランプ２０の交換後において、投写される映像として点灯態様の組み合わせを選択させるためのＯＳＤを表示させることなく、ランプ２０の点灯態様の組み合わせを容易に変更することができる。
【０１１２】
また、リモコン装置１０Ｂに設けられた表示部７４にも、操作部７１の操作に基づき、ランプ２０の点灯態様の組み合わせを選択するための画像が表示される。従って、リモコン装置１０Ｂを用いても上記（１１）の効果を得ることができる。また、上記（１０）の効果を得ることができる。
【０１１３】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【０１１４】
・上記第１実施形態において、記憶部５２には、同時に点灯させるランプ２０の個数に係る情報が記憶されていたが、ランプ２０を発光させる度合いに係る情報が記憶されていてもよい。即ち、ランプ２０の点灯態様の組み合わせに係る情報であれば、どのような情報が記憶部５２に記憶されてもよい。
【０１１５】
・上記第１実施形態において、ランプカバー１０が閉じられた後の経過時間に基づいてランプカバー１０が閉じていることが確認される構成でなくてもよく、開閉確認部の構成を適宜変更してもよい。また、プロジェクタ１が開閉確認部を備えていなくてもよい。この場合には、上記ステップＳ１５，１７は省略される。また、上記ステップＳ１６，Ｓ２５が省略されてもよい。
【０１１６】
・上記第１〜第３実施形態において、光源交換検知部はカバー開閉検出部６０であったが、光源の交換を検知することができるのであれば光源交換検知部の構成を適宜変更してもよい。
【０１１７】
・上記第３実施形態において、投写型映像表示装置は、第１実施形態に記載の自動変更機能と、第２実施形態に記載の手動変更機能とを有していたが、例えば、第４実施形態または第５実施形態に記載の手動変更機能をさらに有していてもよい。ユーザの要求に柔軟に対応するために、プロジェクタ１は、第１実施形態に記載の自動変更機能、第２実施形態に記載の手動変更機能、第４実施形態に記載の手動変更機能、及び第５実施形態に記載の手動変更機能のうち、２つ以上の機能を有していることが好ましい。
【０１１８】
・上記第４実施形態に記載の手動変更機能、及び第５実施形態に記載の手動変更機能を発揮するか否かの設定が変更可能であってもよい。また、上記自動変更機能または上記手動変更機能を発揮するか否かの設定が変更不可であってもよい。
【０１１９】
・上記第４実施形態においては、操作キー５３ａ〜５３ｄ，７１ａ〜７１ｄのうち１つが押されたときに、ランプ２０の点灯態様の組み合わせが所定の組み合わせに変更される構成であったが、例えば複数の操作キーが同時に押されたときに、ランプ２０の点灯態様の組み合わせが所定の組み合わせに変更される構成であってもよい。
【０１２０】
・上記第４実施形態または第５実施形態において、プロジェクタ１がリモコン装置１０Ｂを備えない構成であってもよい。また、上記第１〜３実施形態において、プロジェクタ１がリモコン装置１０Ｂを備える構成であってもよい。上記第２または第３実施形態において、プロジェクタ１がリモコン装置１０Ｂを備えるときには、ランプ２０の交換が検知されたとき、かつ、操作部７１が操作されたときに、ランプ２０の点灯態様の組み合わせが変更される構成であってもよい。
【０１２１】
・光を発する光源はランプ２０でなくてもよい。また、プロジェクタ１が備える光源は４つでなくてもよい。即ち、複数の光源を備える投写型映像表示装置であれば、本願発明を適用することができる。
【符号の説明】
【０１２２】
１…プロジェクタ（投写型映像表示装置）、１０Ａ…筐体、１０Ｂ…リモコン装置（遠隔操作機器）、１０，１１〜１４…ランプカバー（光源カバー）、２０，２１〜２４…ランプ（光源）、２５…光合成部、２６…映像生成部、２７…投射レンズ、３１…映像信号入力部、３２…映像信号処理部、４０，４１〜４４…ランプ電源部、４０ａ…ランプ電源制御部、５１…制御部、５２…記憶部、５３…操作部、５３ａ〜５３ｄ…操作キー、５４…計時部、５５…外部信号入力部、５６…表示部、６０，６１〜６４…カバー開閉検出部（光源交換検知部）、７１…操作部、７１ａ〜７１ｄ…操作キー、７２…制御部、７３…外部信号出力部、７４…表示部。
【図１】
0005465637.tif 000002
【図２】
0005465637.tif 000003
【図３】
0005465637.tif 000004
【図４】
0005465637.tif 000005
【図５】
0005465637.tif 000006
【図６】
0005465637.tif 000007
【図７】
0005465637.tif 000008
【図８】
0005465637.tif 000009